(57)【要約】【課題】良好な見栄えを実現できる水洗大便器を提供する。【解決手段】水洗大便器は、便鉢と、一部に凹部が形成された上面部１６と、を有する便器本体と、便鉢の後方に設けられる機能部と、を備える。機能部の少なくとも一部は凹部内に位置し、機能部と凹部との隙間のうち、左右方向における機能部と凹部との２つの隙間の部分には、機能部と凹部とに当接するよう弾性部材３２が設けられている。【選択図】図６
2020112031.tif 000002
【特許請求の範囲】
【請求項１】
便鉢と、一部に凹部が形成された上面部と、を有する便器本体と、
前記便鉢の後方に設けられる機能部と、を備え、
前記機能部の少なくとも一部は前記凹部内に位置し、
前記機能部と前記凹部との隙間のうち、左右方向における前記機能部と前記凹部との２つの隙間の部分には、前記機能部と前記凹部とに当接するよう弾性部材が設けられていることを特徴とする水洗大便器。
【発明の詳細な説明】
【技術分野】
【０００１】
本発明は、水洗大便器に関し、特に機能部を備える水洗大便器に関する。
【背景技術】
【０００２】
局部洗浄装置などの機器をユニット化した機能部を備える水洗大便器が知られている。この機能部は、通常、便器本体の上面部に取り付けられる。したがって、機能部を備える水洗大便器は、背が高くなるという問題がある。
【０００３】
特許文献１には、便器本体の上面部に凹部を設け、その凹部に機能部の一部を納めた水洗大便器が提案されている。この水洗大便器では、背の高さを比較的抑えられる。
【先行技術文献】
【特許文献】
【０００４】
【特許文献１】特開２０１０−１９６３７５号公報
【発明の概要】
【発明が解決しようとする課題】
【０００５】
上述した従来の水洗大便器は、便器本体や機能部の製造誤差により、便器本体に対する機能部の位置ずれを生じる虞がある。機能部の位置ずれは、水洗大便器の見栄えを低下させうる。
【０００６】
本発明はこうした状況に鑑みてなされたものであり、その目的は、良好な見栄えを実現できる水洗大便器を提供することにある。
【課題を解決するための手段】
【０００７】
上記課題を解決するために、本発明のある態様の水洗大便器は、便鉢と、一部に凹部が形成された上面部と、を有する便器本体と、便鉢の後方に設けられる機能部と、を備える。機能部の少なくとも一部は凹部内に位置し、機能部と凹部との隙間のうち、左右方向における機能部と凹部との２つの隙間の部分には、機能部と凹部とに当接するよう弾性部材が設けられている。
【０００８】
なお、以上の構成要素の任意の組み合わせや、本発明の構成要素や表現を方法、システムなどの間で相互に置換したものもまた、本発明の態様として有効である。
【発明の効果】
【０００９】
本発明によれば、良好な見栄えを実現できる水洗大便器を提供できる。
【図面の簡単な説明】
【００１０】
【図１】図１（ａ）、（ｂ）は、第１の実施の形態に係る水洗大便器の斜視図である。
【図２】第１の実施の形態に係る水洗大便器の断面図である。
【図３】図１の便器本体の斜視図である。
【図４】図１の便器本体の上面図である。
【図５】図５（ａ）、（ｂ）は、図１の機能部を下方前方から見た斜視図である。
【図６】図６（ａ）、（ｂ）は、凹部とその周辺を示す正面図である。
【図７】図７（ａ）、（ｂ）は、凹部とその周辺を示す断面図である。
【図８】第２の実施の形態に係る水洗大便器の斜視図である。
【図９】図８の便器本体の斜視図である。
【発明を実施するための形態】
【００１１】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（第１の実施の形態）
図１（ａ）、（ｂ）は、第１の実施形態に係る水洗大便器１００の斜視図である。図１（ａ）は機能部１２が浮上していない状態を示し、図１（ｂ）は機能部１２が浮上している状態を示す。図２は、水洗大便器１００の断面図である。図２は、機能部１２が浮上していない状態を示す。また、図１（ａ）、（ｂ）および図２では、便座、便蓋、機能部カバーなどが取り外された状態を示す。また、図２では、カバー１３の表示を省略する。
【００１３】
水洗大便器１００は、洋式の水洗式大便器であり、便器本体１０と、機能部１２と、カバー１３と、を備える。以下では、前後左右は、ユーザが通常の姿勢で水洗大便器１００に着座した状態における前後左右をいうものとする。
【００１４】
便器本体１０は、例えばセラミック材料や樹脂材料から形成される。便器本体１０は、便鉢１４と、上面部１６と、便器排水路１８と、外周壁部２０と、を含む。便鉢１４は、略漏斗状の部材であり、汚物を受ける。便鉢１４の上部の内周縁は、上面部１６の下面１６ａとともに、旋回流を生成するための通水路１５を構成する。
【００１５】
便器排水路１８は、一端は便鉢１４の流出口１４ａに通じ、他端は排水管（不図示）に通じている。便鉢１４に洗浄水が供給されると、汚物は洗浄水とともに便器排水路１８内に流れ、そこから排水管に排出される。外周壁部２０は、便鉢１４の外周側や便器排水路１８を隠すよう、それらを囲む。
【００１６】
上面部１６は、便鉢１４の上端周縁に接続されている。上面部１６は、便鉢１４の上端周縁の形状よりも僅かに小さい略楕円形状の開口部４０を有する。この開口部４０は、便鉢１４の上方に位置する、上面部１６の上面１６ｂは平坦に形成され、便座（不図示）が閉じているときに便座が当接する当接面として機能する。また、上面部１６の上面１６ｂは、機能部１２が載置される載置面として機能する。また、上面部１６は、その内部に空洞部４６を含む。
【００１７】
機能部１２は、その一部が上面部１６に載置された状態で、便鉢１４の後方側の上部に設けられる。機能部１２は、便器本体１０に付随して用いられる電装品であり、本実施の形態では、局部を洗浄するための局部洗浄装置３４と、臀部を乾燥するための乾燥装置３６と、便鉢１４内で発生する臭気を脱臭するための脱臭装置３８とを含む。
【００１８】
カバー１３は、便器本体１０の後方に設置される。カバー１３は、便器本体１０の後方側を覆い隠し、水洗大便器１００の意匠性を確保する。
【００１９】
機能部１２は、不図示の昇降機構により、浮上する。具体的には、機能部１２は、機能部１２の少なくとも一部が上面部１６に載置している下降位置（図１（ａ）の位置）と、機能部１２が上面部１６に載置していない上昇位置（図１（ｂ）の位置）との間を昇降する。機能部１２を上昇位置に上昇させることによって、ユーザは、上面部１６の後方側を拭き掃除できる。なお、機能部１２は、ユーザが手で持ち上げることによって昇降されてもよい。
【００２０】
図３は、便器本体１０の斜視図である。図４は、便器本体１０の上面図である。上面部１６の後方側には、下向きに凹んだ凹部２２が形成されている。凹部２２は特に、水道管などの給水源や洗浄水タンク（いずれも不図示）から便鉢１４に洗浄水を供給するための通水路４４を避けた位置に形成されている。また、凹部２２は、空洞部４６の上方を避けた位置に形成される。逆にいうと、空洞部４６は、凹部２２の下方を避けた位置に形成される。本実施の形態では、凹部２２は便鉢１４の後端部の上方に設けられ、凹部２２の下方すなわち凹部２２と便鉢１４との間には空洞部４６は存在しない。より具体的には、凹部２２の平坦な底面２８（後述）と便鉢１４との間には空洞部４６は存在しない。
【００２１】
凹部２２は、便鉢１４の前方や側方の上面部１６の部分よりも下に凹んでいる。凹部２２は、後述の突出部１２ａが収容されるべく、突出部１２ａよりも大きく形成される。凹部２２は、本実施の形態では、開口部４０に沿うように延在している。すなわち、凹部２２は、平面視において、開口部４０に沿って僅かに湾曲している。また凹部２２は、本実施の形態では、その前方側が開口部４０に臨むように形成されている。すなわち、凹部２２は、開口部４０に連通している。凹部２２の周面のうちの前面全体が開口しているともいえる。また凹部２２は、本実施の形態では、正面視において、逆台形状を有する。
【００２２】
凹部２２は、第１側面（右側面）２４と、第２側面（左側面）２６と、底面２８と、背面３０と、を有する。底面２８は、平坦で、左右方向に長い形状を有する。底面２８は、例えばその左右方向の長さが、便器排水路１８の左右方向の幅よりも長くなるよう形成されてもよい。また底面２８は、例えばその左右方向の長さが、開口部４０の左右方向の最大幅の１／２倍より長くなるよう形成されてもよい。
【００２３】
第１側面２４および第２側面２６は、左右方向に互いに離間して設けられ、下側となるほど互いに近づくように傾斜する。第１側面２４および第２側面２６は、平坦で、比較的緩やかな傾斜面となるよう形成される。好ましくは、第１側面２４および第２側面２６は、水平面とのなす角が４５°以下になるよう形成される。本実施の形態では、底面２８は水平面と略平行であるため、第１側面２４および第２側面２６は、底面２８とのなす角が４５°以下になるよう形成される。
【００２４】
背面３０は、水平面とのなす角が１０°以上９０°以下になるよう形成される。本実施の形態では、上述のように底面２８は水平面と略平行であるため、背面３０は、底面２８とのなす角が１０°以上９０°以下になるよう形成される。本実施の形態では、背面３０は、底面２８と実質的に直交するよう形成される。
【００２５】
また、背面３０は、開口部４０の後端部をオフセットさせた形状を有する。具体的には、背面３０は、後方側に凸形状となるよう湾曲している。ここで、セラミック材料から便器本体１０を形成する場合、上面部１６等に空洞部４６を作るために余剰のセラミック材料を排泥する。本実施の形態では、便器本体１０の後ろ側を持ち上げて前側から余剰のセラミック材料を排泥する。このとき、上述のように背面３０は後ろ側に凸形状となるよう湾曲しているため、背面３０の後方にセラミック材料が残らない。
【００２６】
図５（ａ）、（ｂ）は、機能部１２を下方から見た斜視図である。水洗大便器１００は、細長い弾性部材３２をさらに備える。図５（ａ）は弾性部材３２が機能部１２に取り付けられた状態を示し、図５（ｂ）は弾性部材３２が取り外された状態を示す。機能部１２は、ベースプレート４２をさらに含む。ベースプレート４２は、上面部１６に載置され、局部洗浄装置３４、乾燥装置３６、および脱臭装置３８を支持する。
【００２７】
機能部１２は、その前方中央部に、下向きに突出した突出部１２ａを有する。この突出部は、下向きに凹んだベースプレート４２のベース凹部４２ａと、そのベース凹部４２ａに収容された局部洗浄装置３４のノズル３４ａの先端部と、乾燥装置３６の温風吹出口３６ａと、脱臭装置３８の脱臭吸込口３８ａおよび脱臭吐出口３８ｂと、それらの後方に位置する脱臭カートリッジ３８ｃとによって構成される。
【００２８】
ベース凹部４２ａの下面を含むベースプレート４２の下面４２ｂには、概ね左右方向に延びる溝４２ｃが形成されている。溝４２ｃには、弾性部材３２が例えば両面テープにより着脱可能に取り付けられる。弾性部材３２は、例えばゴムにより形成される。溝４２ｃは、機能部１２の前縁よりも奥側（すなわち後方側）に形成される。したがって、そこに取り付けられる弾性部材３２も、機能部１２の前縁よりも奥側に設けられる。つまり、弾性部材３２は、機能部１２の前縁よりも前側に突出しないように設けられる。
【００２９】
図６（ａ）、（ｂ）は、凹部２２とその周辺を示す正面図である。図７（ａ）、（ｂ）は、凹部２２とその周辺を示す断面図である。図６（ａ）、図７（ａ）は、機能部１２が下降位置にあるときを示し、図６（ｂ）、図７（ｂ）は、機能部１２が上昇位置にあるときを示す。
【００３０】
機能部１２が下降位置にあるとき、その突出部１２ａは凹部２２内に位置する。具体的には本実施の形態では、脱臭カートリッジ３８ｃが収容されている突出部１２ａの部分が、すなわち突出部１２ａの後方側が凹部２２内に位置する。
【００３１】
図６（ａ）、図７（ａ）に示すように、機能部１２が下降位置にあるとき、左右方向における機能部１２と凹部２２との２つの隙間の部分には、機能部１２と凹部２２とに当接するよう弾性部材３２が設けられている。具体的には、弾性部材３２は、凹部２２の第１側面２４と、第１側面２４と左右方向で対向する突出部１２ａの第１側面（右側面）１２ｂとに当接する。同様に、弾性部材３２は、凹部２２の第２側面２６と、第２側面２６と左右方向で対向する突出部１２ａの第２側面（左側面）１２ｃとに当接する。
【００３２】
本実施の形態ではさらに、左右方向における機能部１２と凹部２２との２つの隙間の部分に設けられる弾性部材３２は、上下方向における機能部１２と凹部２２との隙間を通って連なっている。具体的には、凹部２２第１側面２４と突出部１２ａの第１側面１２ｂとの間の弾性部材３２と、凹部２２の第２側面２６と突出部１２ａの第２側面１２ｃとの間の弾性部材３２とは、凹部２２の底面２８と、底面２８と上下方向で対向する突出部１２ａの下面１２ｄとの間の隙間を通って連なっている。弾性部材３２は特に、凹部２２の底面２８と、突出部１２ａの下面１２ｄとに当接する。つまり、弾性部材３２は、正面視において、突出部１２ａと凹部２２との隙間を埋めるように設けられる。また、本実施の形態では、弾性部材３２は、凹部２２の左右方向外側の上面部１６の部分まで延びている。
【００３３】
また、弾性部材３２は、機能部１２が下降位置にあるとき、凹部２２（特に底面２８）の前縁よりも奥側（すなわち後方側）に設けられる。つまり、弾性部材３２は、底面２８の前縁よりも前側に突出しないように設けられる。
【００３４】
以上説明した本実施の形態に係る水洗大便器１００によると、便器本体１０の上面部１６に形成された凹部２２に機能部１２の一部が収容され、弾性部材３２を介して機能部１２の一部と凹部２２とが当接する。これにより、便器本体１０に対する機能部１２の左右方向の位置を合わせることができ、水洗大便器１００の良好な見栄えを確保できる。特に、便器本体１０（特に凹部２２）と機能部１２に製造誤差があっても、弾性部材３２によりその製造誤差を吸収しつつ、便器本体１０に対する機能部１２の左右方向の位置を合わせることができる。
【００３５】
また、本実施の形態に係る水洗大便器１００によると、凹部２２は、便鉢１４の前方や側方の上面部１６の部分よりも下側に凹み、その凹部２２に機能部１２の一部が収容される。これにより、機能部１２ひいては水洗大便器１００の背を低くでき、水洗大便器１００をよりコンパクトにできる。
【００３６】
また、本実施の形態に係る水洗大便器１００によると、第１側面２４と第２側面２６とは、下側となるほど互いに近づくように傾斜する。機能部１２を水洗大便器１００に組み付けるとき、または、掃除のために上昇させた機能部１２を下ろすときに、第１側面２４と第２側面２６とによってガイドされ、機能部１２は比較的スムーズに便器本体１０に対して所望の位置に載置される。
【００３７】
また、本実施の形態に係る水洗大便器１００によると、弾性部材３２は機能部１２と凹部２２とが上下方向で対向する隙間を通って連なる。つまり、弾性部材３２は、正面視において、突出部１２ａと凹部２２との隙間を埋めるように設けられる。これにより、弾性部材３２がシールとして機能し、便鉢１４から凹部２２に入り込んだ汚水等が弾性部材３２を越えて後方に流れ込むのを抑止できる。その結果、弾性部材３２よりも奥側の凹部２２の部分や、凹部２２より後方の上面部１６などが汚れるのを抑止できる。
【００３８】
また、本実施の形態に係る水洗大便器１００によると、第１側面２４および第２側面２６は底面２８に対して傾斜する。ここで、仮に第１側面２４や第２側面２６が底面２８に対して直立する場合、第１側面２４と底面２８との連結部分や、第２側面２６と底面２８との連結部分で弾性部材３２が凹部２２から離れて浮き、正面視において突出部１２ａと凹部２２との間に隙間が生じうる。これに対し、本実施の形態に係る水洗大便器１００では、上述のように第１側面２４および第２側面２６は底面２８に対して傾斜しているため、連結部分で弾性部材３２が浮かないよう弾性部材３２を凹部２２に沿わせることができる。
【００３９】
また、本実施の形態に係る水洗大便器１００によると、凹部２２の背面３０は、水平面とのなす角が１０°以上９０°以下になるよう形成される。これにより、凹部２２を拭き掃除しやすい上に、便鉢１４から凹部２２に入り込んだ汚水等が背面３０を越えて後方に流れ込むのを抑止できる。その結果、凹部２２の後方の上面部１６などが汚れるのを抑止できる。
【００４０】
また、本実施の形態に係る水洗大便器１００によると、弾性部材３２は、機能部１２の前縁よりも奥側に設けられる。これにより、弾性部材３２がユーザに視認されにくくなり、水洗大便器１００の良好な美観を確保できる。また、本実施の形態に係る水洗大便器１００によると、弾性部材３２は凹部２２の底面２８の前縁よりも奥側に設けられる。これにより、便鉢１４から跳ねた汚水等で弾性部材３２が汚れるのが抑止される。
【００４１】
（第２の実施の形態）
図８は、第２の実施の形態に係る水洗大便器１００を示す斜視図である。図８は、図１（ａ）に対応する。水洗大便器１００は、便器本体１０と、機能部１２と、を備える。便器本体１０は、便鉢１４と、上面部１６と、便器排水路（不図示）と、外周壁部２０と、を含む。本実施の形態では、水洗大便器１００は、カバー１３を有しない。代わりに、外周壁部２０が水洗大便器１００の意匠性を確保するよう前後左右を覆い隠す。
【００４２】
図９は、図８の便器本体１０を示す斜視図である。図９は図３に対応する。上面部１６の後方側には、下向きに凹んだ横長の凹部２２が形成されている。本実施の形態では、凹部２２は、開口部４０の後端縁から上面部１６の後端縁に亘る範囲に連続する溝状に形成される。ベースプレート４２は、その全体が上面部１６よりも下方に位置するように凹部２２に収容される。
【００４３】
以上説明した本実施の形態に係る水洗大便器１００によると、第１の実施の形態に係る水洗大便器１００によって奏される作用効果と同様の作用効果が奏される。加えて、本実施の形態に係る水洗大便器１００によると、ベースプレート４２の全体が上面部１６よりも下方に位置する、すなわち機能部１２が全体的に下方に下がる。これにより、上面部１６に対する機能部の高さが、ひいては水洗大便器１００の背の高さがより抑えられる。
【００４４】
以上、実施の形態に係る水洗大便器について説明した。この実施の形態は例示であり、その各構成要素の組み合わせにいろいろな変形例が可能なこと、またそうした変形例も本発明の範囲にあることは当業者に理解されるところである。
【００４５】
（変形例１）
実施の形態では、凹部２２第１側面２４と突出部１２ａの第１側面１２ｂとの間の弾性部材３２と、凹部２２の第２側面２６と突出部１２ａの第２側面１２ｃとの間の弾性部材３２とが連なっている場合について説明したが、これに限られない。少なくとも凹部２２第１側面２４と突出部１２ａの第１側面１２ｂとの隙間と、凹部２２の第２側面２６と突出部１２ａの第２側面１２ｃとの隙間に弾性部材３２が設けられればよく、これらが連なっている必要はない。すなわち、凹部２２の底面２８と突出部１２ａの下面１２ｄとの間に弾性部材３２が存在していなくてもよい。
【００４６】
（変形例２）
実施の形態では、機能部１２が、局部洗浄装置３４と、乾燥装置３６と、および脱臭装置３８とを含む場合について説明したが、これに限られない。機能部１２は、少なくとも１つの装置を含んでいればよい。例えば、機能部１２は、局部洗浄装置３４、乾燥装置３６、および脱臭装置３８の３つの装置のうちの少なくとも１つの装置を含んでいてもよい。また機能部１２は、これら３つ以外の他の装置を含んでいてもよい。
【００４７】
（変形例３）
実施の形態では、機能部１２のベースプレート４２の下面４２ｂには弾性部材３２が取り付けられるべき溝４２ｃが形成されている場合について説明したが、これに限られない。弾性部材３２が取り付けられるべき位置が分かればよく、例えば、ベースプレート４２の下面４２ｂに弾性部材３２が取り付けられるべき位置を示すシールが貼り付けられても、取り付けられるべき位置を示すマークが塗装されていてもよい。
【００４８】
また、ベースプレート４２の代わりにまたはベースプレート４２に加えて上面部１６に、弾性部材３２が取り付けられるべき溝が形成されても、取り付けられるべき位置を示すシールが貼り付けられていても、取り付けられるべき位置を示すマークが塗装されていてもよい。この場合、弾性部材３２は、上面部１６に取り付けられてもよい。
【００４９】
また、弾性部材３２は、機能部１２および上面部１６のいずれにも取り付けられなくてもよい。この場合、弾性部材３２は、機能部１２と上面部１６とに挟まれて保持されてもよい。
【００５０】
（変形例４）
実施の形態では、凹部２２は、正面視において、逆台形状を有する場合について説明したが、これに限られない。凹部２２は、正面視において、Ｕ字状、Ｖ字状、円弧状、その他の形状を有していてもよい。つまり、第１側面２４および第２側面２６は曲面状に形成されてもよい。また、凹部２２の第１側面２４および第２側面２６は、連続した１つの面の一部であってもよい。あるいはまた、第１側面２４および第２側面２６は、連続した１つの面を形成してもよい。また、凹部２２は、凹部内に１つまたは複数の凹部を形成された形状であってもよい。つまり、凹部２２の第１側面２４および第２側面２６の少なくとも一方は、１つまたは複数の段部を有していてもよい。
【００５１】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００５２】
以上の記載から、下記の発明が認識される。
本発明のある態様の水洗大便器は、便鉢と、一部に凹部が形成された上面部と、を有する便器本体と、便鉢の後方に設けられる機能部と、を備える。機能部の少なくとも一部は凹部内に位置し、機能部と凹部との隙間のうち、左右方向における機能部と凹部との２つの隙間の部分には、機能部と凹部とに当接するよう弾性部材が設けられている。
この態様によれば、便器本体と機能部の製造誤差を吸収しつつ、便器本体に対する機能部の左右方向の位置を合わせることができる。すなわち、良好な見栄えを実現できる。
【００５３】
凹部は、下側となるほど互いに近づくように傾斜する２つの側面を有してもよい。２つの隙間の部分は、左右方向における機能部と２つの側面との２つの隙間であってもよい。
ここで、「２つの傾斜面」には、平坦な傾斜面、曲面状の傾斜面等が含まれる。また、「２つの傾斜面」はそれぞれ、連続した１つの面の一部であってもよい。あるいはまた、「２つの傾斜面」は、連続した１つの面を形成してもよい。
この態様によれば、機能部を水洗大便器に組み付けるとき、または、掃除のために上昇させた機能部を下ろすときに、側面にガイドされ、機能部は比較的スムーズに便器本体に対して所望の位置に載置される。
【００５４】
凹部は、平坦な底面を有してもよい。
【００５５】
２つの隙間の部分に設けられる弾性部材は、上下方向における機能部と凹部との隙間に設けられる、機能部と凹部とに当接する弾性部材と連なっていてもよい。つまり、弾性部材は、正面視において、機能部と凹部との上下方向の隙間をも埋めるように設けられる。
この態様によれば、便鉢から凹部に入り込んだ汚水等が弾性部材を越えて後方に流れ込むのを抑止できる。
【００５６】
弾性部材は、機能部の前縁よりも奥側に設けられてもよい。
この態様によれば、弾性部材がユーザに視認されにくくなり、水洗大便器の良好な美観を確保できる。
【符号の説明】
【００５７】
１０  便器本体、  １２  機能部、  １４  便鉢、  １６  上面部、  １６ｂ  上面、  ２２  凹部、  ２８  底面、  ３２  弾性部材、  １００  水洗大便器。
【図１】
2020112031.tif 000003
【図２】
2020112031.tif 000004
【図３】
2020112031.tif 000005
【図４】
2020112031.tif 000006
【図５】
2020112031.tif 000007
【図６】
2020112031.tif 000008
【図７】
2020112031.tif 000009
【図８】
2020112031.tif 000010
【図９】
2020112031.tif 000011